(57)【要約】【課題】半導体チップのクラックやチッピング等の不良を低減して高品質の半導体装置を製造できると共に製造歩留まりの低下も抑制できる粘着性テープの剥離方法を用いたスタックＭＣＰに適した半導体装置の製造方法を提供する。【解決手段】半導体素子の形成された半導体ウエーハ１′に、最終仕上げ厚以上の切断溝を入れた後に、半導体ウエーハ表面に粘着性テープ（表面保護テープ）を貼り付けてから、裏面研削を行って半導体チップ１の薄厚加工と半導体チップの分離を同時に行い、その後、半導体チップの裏面に接着剤層２を形成し、その後、保持テーブル３上の少なくとも２つの吸着エリアに分離された多孔質材で半導体ウェーハ側を吸着固定する吸着ステージで粘着性テープ２４を剥離する。薄厚チップのピックアップでのチップクラックが低減しスタックＭＰＣ製品対応の薄厚チップの作成ができる。【選択図】                図２
2004311576.tif 000002
【特許請求の範囲】
【請求項１】
半導体素子が形成された半導体ウエーハの素子形成面に最終仕上げ厚以上の切断溝を入れる工程と、
前記切断溝を入れる工程終了後、前記ウェーハの前記素子形成面に粘着性テープを貼り付ける工程と、
前記粘着性テープを貼り付ける工程終了後、前記半導体ウェーハの裏面研削を行い前記半導体ウェーハを半導体素子が形成された複数の半導体チップに分離切断して、前記半導体チップの薄厚加工と前記半導体チップの分離とを同時に行う工程と、
前記半導体ウェーハの裏面研削を行う工程終了後に前記半導体ウェーハの裏面全面に接着剤層を貼り付ける工程と、
前記半導体ウェーハの裏面全面に貼り付けられた前記接着剤層を前記半導体チップ毎に分離切断する工程と、
前記接着剤層を前記半導体チップ毎に分離切断する工程終了後に少なくとも２つの吸着エリアに分離された多孔質材で前記半導体ウェーハを吸着固定する吸着ステージ上で粘着性テープを剥離する工程とを具備したことを特徴とする半導体装置の製造方法。
【請求項２】
前記粘着性テープを剥離する工程は、前記粘着性テープの剥離方向に対して、前記多孔質材を介して、前記吸着エリアに対応する少なくとも２つの系統の吸引経路で前記半導体ウェーハを吸着固定する工程と、前記粘着性テープを剥離方向に沿って剥離し、隣接する前記吸着エリアに対応する粘着性テープの一部が剥離されたときに、前記粘着性テープの剥離が隣接する前記吸着エリアに達する付近で吸引経路を切り換えて前記半導体ウェーハを吸着固定する工程とを有することを特徴とする請求項１に記載の半導体装置の製造方法。
【請求項３】
半導体素子が形成された半導体ウエーハの素子形成面に最終仕上げ厚以上の切断溝を入れる工程と、
前記切断溝を入れる工程終了後、前記ウェーハの前記素子形成面に粘着性テープを貼り付ける工程と、
前記粘着性テープを貼り付ける工程終了後、前記半導体ウェーハの裏面研削を行い前記半導体ウェーハを半導体素子が形成された複数の半導体チップに分離切断して、前記半導体チップの薄厚加工と前記半導体チップの分離とを同時に行う工程と、
前記半導体ウェーハの裏面研削を行う工程終了後に前記半導体ウェーハの裏面全面に接着剤層を貼り付ける工程と、
前記接着剤層を前記半導体ウェーハの裏面全面に貼り付ける工程終了後に少なくとも２つの吸着エリアに分離された多孔質材で前記接着剤層の貼り付けられた半導体ウェーハを吸着固定する吸着ステージ上で粘着性テープを剥離する工程と、
前記粘着性テープを剥離する工程終了後に前記半導体ウェーハの裏面全面に貼り付けられた前記接着剤層を前記吸着ステージ上で前記半導体チップ毎に分離切断する工程とを具備したことを特徴とする半導体装置の製造方法。
【請求項４】
前記粘着性テープを剥離する工程は、前記粘着性テープの剥離方向に対して、前記多孔質材を介して、前記吸着エリアに対応する少なくとも２つの系統の吸引経路で前記半導体ウェーハを吸着固定する工程と、前記粘着性テープを剥離方向に沿って剥離し、隣接する前記吸着エリアに対応する粘着性テープの一部が剥離されたときに、前記粘着性テープの剥離が隣接する前記吸着エリアに達する付近で吸引経路を切り換えて前記半導体ウェーハを吸着固定する工程とを有し、前記前記接着剤層を前記半導体チップ毎に分離切断する工程は、切断状況に合わせて前記少なくとも２つの吸着エリアの２系統以上の真空配管を切り換える制御を行いながら切断することを特徴とする請求項３に記載の半導体装置の製造方法。
【請求項５】
前記粘着性テープは、熱収縮性フィルム基材と粘着剤層からなり、前記半導体ウェーハより熱収縮により剥離することができるものであることを特徴とする請求項１乃至請求項４のいずれかに記載の半導体装置の製造方法。
【請求項６】
前記粘着性テープの粘着剤は、ＵＶ硬化型粘着剤からなることを特徴とする請求項１乃至請求項４のいずれかに記載の半導体装置の製造方法。
【請求項７】
前記粘着性テープを剥離する工程において、前記粘着性テープを剥離する前にＵＶ照射を行うことを特徴とする請求項６に記載の半導体装置の製造方法。
【請求項８】
前記切断溝を入れる工程において、前記切断溝をブレードダイシング、レーザ、エッチングもしくは劈開のいずれかで形成することを特徴とする請求項１乃至請求項４のいずれかに記載の半導体装置の製造方法。
【請求項９】
前記裏面研削を行った後に裏面をエッチングすることを特徴とする請求項１乃至請求項４のいずれかに記載の半導体装置の製造方法。
【請求項１０】
前記接着剤層は、ＵＶ硬化剤を有する熱硬化性の接着剤層であることを特徴とする請求項１乃至請求項４のいずれかに記載の半導体装置の製造方法。
【請求項１１】
前記接着剤層は、ブレード、レーザもしくはエッチングのいずれかにより切断することを特徴とする請求項１又は請求項２に記載の半導体装置の製造方法。
【請求項１２】
前記接着剤層は、前記多孔質材上でブレード、レーザもしくはエッチングのいずれかにより切断することを特徴とする請求項３又は請求項４に記載の半導体装置の製造方法。
【発明の詳細な説明】
【０００１】
【発明の属する技術分野】
本発明は、半導体装置の製造方法に関するものであり、とくにスタックＭＣＰ（Ｍｕｌｔｉ−Ｃｈｉｐ  Ｐａｃｋａｇｅ）タイプの半導体装置を構成する裏面に接着剤層が形成された半導体チップから製造工程中に貼り付けられた粘着性テープを剥離する工程を含む半導体装置の製造方法に関するものである。
【０００２】
【従来の技術】
一般に、半導体装置の製造工程において、素子形成の終了した半導体ウェーハは、ダイシングラインやチップ分割ラインに沿って分離され、個片化されることにより複数の半導体チップが形成される。個片化の工程の前後で半導体ウェーハに粘着性テープが貼り付けられ、個片化された半導体チップがウェーハ形状のままで一体化されている。このように複数の半導体チップに個片化され、粘着性テープに支持された半導体ウェーハは、例えば、ダイボンダなどに用いて実装工程を実施する。半導体ウェーハの各半導体チップは、粘着性テープからピックアップされ、リードフレームやＴＡＢテープへのマウント工程或いはパッケージへの封止工程等の実装工程を経て半導体装置が完成される。
このような個々の半導体チップをピックアップする際、半導体ウェーハの粘着性テープの貼り付け面の裏面を、ウェーハリングに貼り付けた別の粘着性テープに貼り付けた後、前記粘着性テープを剥離し、ウェーハリングをピックアップ装置に装着して個々の半導体チップをピックアップする。
【０００３】
図１２は、従来のピックアップ装置における、半導体チップ１００を粘着性テープ１０１からピックアップする主要構成部の拡大断面図である（特許文献１）。半導体チップ１００をウェーハリングに貼り付けた粘着性テープ１０１から剥離してピックアップする場合には、半導体チップ１００の裏面側から粘着性テープ１０１を介在させて突き上げピン（ニードル）１０２を突出（上昇）させ、半導体チップ１００を粘着性テープ１０１の弾性力を利用して剥離する。突き上げピン１０２は、上記半導体チップ１００の各コーナー部もしくは中央部近傍に対応する位置に配置され、基部がピンホルダ１０３に装着されている。
半導体チップ１００を粘着性テープ１０１から剥離する順序としては、まず、ピックアップの対象となる半導体チップ１００が突き上げピン１０２上に位置するように、半導体チップ１００が貼り付けられた粘着性テープ１０１が固定された保持テーブルを移動させる。次に、剥離する半導体チップ１００の位置検出や良品／不良品を判別するためのマーク検出等を行い、バックアップホルダ１０４の内部をバキュームで引いて、粘着性テープ１０１をバックアップホルダ１０４の上面に吸着して固定する。この状態で突き上げピン１０２が取り付けられているピンホルダ１０３を上昇させ、突き上げピン１０２をバックアップホルダ１０４の上面から突出させ、粘着性テープ１０１を介在させて半導体チップ１００を裏面側から突き上げる。突き上げられた半導体チップ１００は、吸着コレット１０５により吸着されて実装工程へ供給される。
【０００４】
近年は、半導体チップを、例えば、カード状の薄いパッケージに内蔵するために、半導体チップの薄型化が強く望まれており、半導体ウェーハの裏面を研磨、研削及びエッチングして１００μｍ以下にまで薄くしている。
このような半導体チップの厚さが１００μｍ以下になった場合の上記クラックの問題点について、図１３により詳しく説明する。
半導体チップの厚さが上記のように非常に薄いと、半導体チップ１００の外周部（特にコーナー部分）が剥がれたとしても、突き上げピン１０２の上昇より粘着性テープ１０１の剥がれる速度が遅いため、図１３（ａ）に示すように剥離する前に半導体チップ１００が凹状に反ってしまい、図１０３（ｂ）に示すように最終的にはクラックに至る。また、図１３（ｂ）に示すように、粘着性テープ１０１を介在させた状態で半導体チップ１００の裏面側を突き上げピン１０２で押し上げると、コーナー部しか剥離しない状態で半導体チップ１００と突き上げピン１０２との接触部にクラックが入ったり、突き上げピン１０２が貫通したりしてしまい、チップクラックに至ってしまう。半導体チップの厚さが１００μｍ以上であれば、半導体チップ１００と粘着性テープ１０１の接着力より、半導体チップの強度（厚さ方向）が強いため、このような現象は発生しにくい。
【０００５】
以上、従来の半導体装置の製造方法は、スタックＭＣＰタイプの半導体装置にも適用される。従来のスタックＭＣＰ製品の製造方法は、裏面研削→裏面フィルム状接着剤（接着剤層）貼り→ダイシング工程で半導体チップを作成し、その半導体チップ複数個をダイボンディング→ボンディングを繰り返して多段に積み上げた後にモールディングする工法を行っていた。
図１４は、半導体チップを作成するまでのスタックＭＣＰ製品の製造工程である。まず、半導体素子が形成された半導体ウェーハの素子形成面に粘着性テープ（表面保護テープ）を貼り付ける（図１４（ａ））。その後、裏面研削を行って半導体ウェーハを薄厚化する（図１４（ｂ））。そして、半導体チップを積層するための接着剤層を裏面に貼り付ける（図１４（ｃ））。次に、半導体ウェーハの粘着性テープが貼り付けられた素子形成面の裏面をウェーハリングに貼り付けた別の粘着性テープに貼り付ける（図１５（ａ））。その後、粘着性テープを剥離する（図１５（ｂ））。次に、レーザ、ブレードなどにより、半導体ウェーハを半導体チップに分離切断する（図１５（ｃ））。
【０００６】
【特許文献１】
特開２００３−１７５１３号公報（図１、図２及びその説明箇所）
【０００７】
【発明が解決しようとする課題】
以上、従来の半導体装置の製造方法は、スタックＭＣＰタイプの半導体装置にも適用される。従来のスタックＭＣＰ製品の製造方法は、裏面研削→裏面フィルム状接着剤（接着剤層）貼り→ダイシング工程で半導体チップを作成し、その半導体チップ複数個をダイボンディング→ボンディングを繰り返して多段に積み上げた後にモールディングする工法を行っていた。この工法では以下の問題点がある。
【０００８】
（問題点１）裏面研削→接着剤層貼り→ダイシングにより半導体チップを作成する工程によるために、裏面チッピングが多発し、抗折強度の弱いチップしか作成出来ない。その結果、１００〜１５０μｍ厚の半導体チップしか作成できなかった。
（問題点２）前述の通り半導体チップに裏面チッピングが多発しているので、半導体チップ側に対するボンディング時に半導体チップがクラックする可能性があった。
（問題点３）前述の問題を解決する手段として、裏面研削後にエッチング処理を施してチップ抗折強度を向上する方法が考えられる。しかし、この方法においては、チップ厚が１００μｍ以下と薄くなると、エッチングを行わない裏面研削→ダイシングの工法よりも大きい裏面チッピングを発生させてしまう為にかえってチップクラック不良を増加させる。
【０００９】
（問題点４）前述の問題を解決出来て１００μｍ以下の半導体チップの作成に成功したとしても、図１３を参照して説明したような問題が生じる。
このように、半導体チップが薄厚化されると、半導体チップの抗折強度が低くなり、従来の粘着性テープの剥離機構や剥離方法並びに従来の半導体チップのピックアップ装置やピックアップ方法ではクラックやチッピング等の品質低下と歩留まり低下を回避できず、これらを備える半導体装置の製造方法に対して改善が望まれている。とくに、半導体チップ裏面に接着剤、接着シートもしくは接着フィルムなどの接着剤層が付着されたものは、剥離時の荷重が高くなり、ワレの発生が大きく、その結果半導体装置の品質の低下や歩留まりの低下を招くという問題があった。
本発明は、このような事情に鑑みてなされたものであり、半導体チップのクラックやチッピング等の不良を低減して高品質の半導体装置を製造できるとともに製造歩留まりの低下も抑制できる粘着性テープの剥離方法を用いたスタックＭＣＰ製品に適した半導体装置の製造方法を提供する。
【００１０】
【課題を解決するための手段】
本発明は、半導体素子の形成された半導体ウエーハに、最終仕上げ厚以上の切断溝を入れた後に、半導体ウエーハ表面に粘着性テープ（その役割に応じて、表面保護テープもしくは支持テープともいう）を貼り付けてから、裏面研削を行って半導体チップの薄厚加工と半導体チップの分離を同時に行い、その後、半導体チップの裏面に接着剤層を形成し、その後、少なくとも２つの吸着エリアに分離された多孔質材で半導体ウェーハ側を吸着固定する吸着ステージ上で粘着性テープを剥離することを特徴としている。
【００１１】
半導体素子の形成された半導体ウエーハに、最終仕上げ厚以上の切断溝を入れるダイシング（ハーフダイシング）を行い、その後に、裏面研削を行って半導体チップの薄厚加工と半導体チップの分離を同時に行う方法を先ダイシングという。スタックＭＣＰタイプの半導体装置を先ダイシング工法に適用するので膜厚が１００μｍ以下の半導体チップが容易に作成出来る。また、先ダイシング工法が使えるので裏面チッピングの無い強度の高い半導体チップが作成出来る。その結果ボンディング時のクラックが低減される。また、先ダイシング工法に併せてエッチング工法が使えるので裏面チッピングの無い強度の高い半導体チップが作成出来る。その結果、ボンディング時のクラックが低減される。また、ボンディング工程において、突き上げピンを用いないピンレスピックアップ工法を用いることが出来るので、１００μｍ厚以下の薄厚チップのピックアップでのチップクラックが低減しスタックＭＰＣ製品対応の薄厚チップの作成が可能になる。
【００１２】
【発明の実施の形態】
以下、図面を参照して発明の実施の形態を説明する。
まず、図１及び図９を参照して第１の実施例を説明する。
図１及び図２は、半導体ウェーハに半導体素子を形成した後半導体チップの形成後に半導体ウェーハに貼り付けてあった粘着性テープを剥離するまでの工程を説明する工程断面図である。
シリコンなどからなる半導体ウェーハ１′の素子形成面に半導体素子を形成し、さらにキャピラリ４０を用いて半導体素子に電気的に接続されたバンプ４１を形成する（図１（ａ））。次に、半導体ウェーハ１′の素子形成面側からダイシングライン又はチップ分割ラインに沿って、ダイヤモンドスクライバー、ダイヤモンドブレードあるいはレーザスクライバー等を用いて裏面に達しない深さの切断溝４２を形成する。この切断溝形成は、ハーフカット・ダイシングという（図１（ｂ））。次に、半導体ウェーハ１′の素子形成面の表面に表面保護テープである粘着性テープ２４を貼り付ける（図１（ｃ））。次に、砥石４３により半導体ウェーハ１′の裏面研削を行って、半導体ウェーハ１′の薄厚化と同時に、個々の半導体チップ１への分割を行う（先ダイシング）（図１（ｄ））。
【００１３】
裏面研削終了後、半導体ウェーハ１′の裏面に接着テープなどの接着剤層２９を形成する（図２（ａ））。次に、接着剤層２９をチップサイズにレーザやブレードなどの切断手段を用いて切断する（図２（ｂ））。次に、保持テーブル３に備えられたウェーハ吸着部に保持された個片化された半導体ウェーハ１′から粘着性テープ２４を剥離する（図２（ｃ））。
粘着性テープ２４を剥離され個片化された半導体ウェーハ１′を構成する半導体チップ１は、ピックアップ機構により、ピックアップされて半導体装置の所定の製造工程に搬送される。
ここで用いられる粘着性テープは、通常の表面保護テープのように熱可塑性フィルム基材と粘着剤層の構成のものであっても良いが、熱収縮性フィルム基材と粘着剤層の構成のものであっても良い。熱収縮性フィルム基材と粘着剤層からなる粘着性テープは、熱収縮を行うことによって、自動的に半導体ウェーハから剥離するので、後述する剥離機構は簡略化できる可能性がある。また、前記粘着性テープの粘着剤は、ＵＶ硬化型粘着剤であっても良い。粘着性テープを剥離する工程において、粘着性テープを剥離する前にＵＶ照射を行うことにより剥離を容易にすることが出来る。前記切断溝を入れる工程において、切断溝をブレードダイシング、レーザ、エッチングもしくは劈開のいずれかの手段を用いることが可能である。
【００１４】
また、前記裏面研削を行った後に裏面をエッチングすることにより裏面チッピングの少ない半導体チップを得ることが出来る。前記接着剤層は、熱接着性の熱可塑性フィルムであっても良く、また、熱硬化性の接着剤層であっても良い。さらに、ＵＶ硬化性を有する熱硬化性の接着剤層であっても良い。熱硬化性の接着剤層は、常温領域で粘着性を帯びている場合があるため、吸着ステージにチップが固着してしまう可能性がある。熱硬化性の接着剤層がＵＶ硬化性を有していれば、半導体ウェーハの裏面に接着剤層を貼り付けた後、吸着ステージに吸着固定するまでに接着剤層をＵＶ硬化すれば、粘着性が低下するので、このような問題は起きにくくなる。また、前記接着剤層は、ブレード、レーザもしくはエッチングのいずれかの切断手段を用いることが出来る。
【００１５】
次に、図３乃至図９を参照しながら個片化された半導体ウェーハを構成する半導体チップをダイボンディング工程に適用される例を説明する。この工程では、粘着性テープの剥離機構及び半導体チップのピックアップ機構を有するダイボンダを例にとって説明する。
図３は、ダイボンダの概略構成を示す斜視図、図４は、剥離機構及びピックアップ機構で用いられるウェーハ吸着部の平面図及び断面図、図５は、ウェーハ吸着部と個片化された半導体ウェーハの配置について説明する平面図、図６は、図３のダイボンダにおける粘着性テープの剥離機構について説明する断面図、図７及び図８は、図３に示されるダイボンダにおける半導体チップのピックアップ機構について説明する断面図、図９は、ピックアップした半導体チップの実装工程について説明する概略断面図である。
図２（ｃ）に示す半導体ウェーハ１′は、粘着性テープ２４が表面保護テープとして素子形成領域を有する素子形成面の全面に被覆され、裏面には接着剤層２９が形成されている。接着剤層２９は、半導体チップ１毎に分離して形成されている。
【００１６】
図３に示すダイボンダは、粘着性テープを剥離するための剥離機構、半導体チップをピックアップするピックアップ機構、ピックアップした半導体チップをリードフレーム上に移送する移送機構及びリードフレームを搬送する搬送機構等から構成されている。剥離機構は、保持テーブル３、ＴＶカメラ４、剥離爪２１、補助プレート２２及び吸引装置２０等から構成されている。ピックアップ機構は、保持テーブル３、ＴＶカメラ４、吸着コレット１０及び吸引装置２０等から構成され、剥離機構とピックアップ機構とで保持テーブル３、ＴＶカメラ４及び吸引装置２０が共用される。
【００１７】
保持テーブル３は、粘着性テープの剥離方向に対して、少なくとも２つの吸着エリアに分離された（ブロック化された）多孔質材、例えば、フィルム状のセラミック材／ガラスエポキシ基板からなるウェーハ吸着部２を備えている。この実施例では、図４に示すように、ウェーハ吸着部２が７つの吸着エリア２−１〜２−７を備えている。各々の吸着エリア２−１〜２−７の下部には、真空配管を接続するための接続孔２３−１〜２３−７が設けられている。このウェーハ吸着部２には、素子形成が終了し個片化された半導体チップ１を粘着性テープ２４（図６参照）に貼り付けた半導体ウェーハのウェーハ側が接着剤層２９を介して吸着されて固定される。この際、図５（ａ）及び（ｂ）に示すように、剥離方向に対して各半導体チップ１の辺が直交するように配置すれば、ピックアップの際の各半導体チップ１の位置認識が容易になる。図５（ａ）及び（ｃ）に示すように、剥離方向に対して各半導体チップ１の対角線が平行な方向（半導体チップが正方形の場合には４５度の傾きを持つ）に配置すれば、粘着性テープ２４の剥離が半導体チップ１のコーナー部から始まるため、容易に剥離できる。どちらの配置を選択するかは、半導体チップ１のサイズや厚さ、粘着性テープ２４の粘着力等を考慮して決定すれば良い。
【００１８】
保持テーブル３は、半導体ウェーハをＸＹ方向に移動させることにより、吸引装置２０上に個々の半導体チップ１を移動させるようになっている。ＴＶカメラ４は、上記半導体チップ１の表面をモニタする。吸引装置２０は、保持テーブル３の下側に設置されており、ウェーハ吸着部２の各々の吸着エリア２−１〜２−７に対応して設けられた少なくとも２系統の真空（吸引）配管とそれぞれに対応する２つの真空（吸引）ポンプ、真空配管を切り換える切換弁、この切換弁を制御する制御装置等を有している。
【００１９】
半導体チップ１をリードフレーム上に移送する移送機構は、ボンディングツール８、吸着コレット１０、位置修正ステージ１１及びボンディングヘッド１２等から構成されている。吸着コレット１０は、ピックアップ時にも用いられるもので、粘着性テープ２４から剥離された半導体チップ１を吸着して位置修正ステージ１１上に移送する。この位置修正ステージ１１上で半導体チップ１の位置が修正される。位置が修正された半導体チップ１は、ボンディングヘッド８によりリードフレーム上に移送される。さらに、リードフレームを搬送する搬送機構は、リードフレーム供給部５、リードフレーム搬送装置６、ペースト供給装置７及びリードフレーム収納部９等から構成されている。リードフレーム供給部５にはダイボンディング前のリードフレームが収容されており、リードフレームをリードフレーム搬送装置６に順次送り出すようになっている。ペースト供給装置７は、リードフレーム搬送装置６を搬送されたリードフレームのベッド部に導電性ペーストを塗布するものである。また、リードフレーム収納部９は、ダイボンディングが終了したリードフレームを収容する。
【００２０】
このダイボンダの全体の概略的な動作は次の通りである。
まず、素子形成面側に粘着性テープを貼り付け、裏面にチップ毎に接着剤層を形成した半導体ウェーハを保持テーブル３に装着する。次に、吸引装置２０で半導体チップ１を直接的に吸着固定し、剥離爪２１と補助プレート２２を用いて粘着性テープを剥離する。引き続き、保持テーブル３をＸＹ方向に移動させ、ＴＶカメラ４を用いて半導体チップ１の表面をモニタし、このモニタで得た画像データを二値化もしくは多値化して半導体チップ１の位置検出及び良品／不良品を判別するためのマーク検出等を行う。そして、吸引装置２０によるバキュームで吸引しつつ（半導体チップのサイズや厚さによっては、必ずしもバキュームで吸引する必要はない）、半導体チップ１を吸着コレット１０で吸着しピックアップして位置修正ステージ１１上に移送し、半導体チップ１の位置や必要に応じて表裏を修正した後、ボンディングヘッド８によりリードフレーム上に移送する。
次に、ピックアップの終了後、ピックアップする半導体チップ１の位置へ保持テーブル３を移動する。さらに、これらの動作を繰り返す。
【００２１】
一方、リードフレーム供給部５は、リードフレームをリードフレーム搬送装置６に順次送り出し、リードフレーム搬送装置６を搬送されるリードフレームのベッド部には、ペースト供給装置７から導電性ペーストが塗布される。そして、ボンディングヘッド８で移送された半導体チップ１がリードフレームのベッド部上にマウント（これをダイボンディングという）される。ダイボンディングが終了したリードフレームは、リードフレーム収納部９に収容され、このような動作を順次繰り返す。
【００２２】
次に、前述したようなダイボンダにおける粘着性テープの剥離機構と半導体チップのピックアップ機構並びにこれらを用いた剥離方法及びピックアップ方法について図６乃至図９により詳しく説明する。
まず、素子形成面に粘着性テープ２４が貼り付けられ、個片化された半導体ウェーハを用意する。半導体ウェーハは、裏面が接着剤層２９で被覆された半導体チップ１から構成されている。また、前述のように、粘着性テープは、半導体ウェーハの表面保護テープもしくは支持テープに用いられる。個片化された半導体ウェーハは、保持テーブル３にセットされる。保持テーブル３には、２系統の真空配管２５Ａ、２５Ｂ、配管の切換弁２６Ａ〜２６Ｇ及び２つのバキュームポンプ２７Ａ、２７Ｂが設けられており、これらを用いて粘着性テープ２４の剥離が行われる。まず、第１の系統の真空配管２５Ａと第１のバキュームポンプ２７Ｂを用いて粘着性テープ２４に接着された半導体ウェーハをバキューム吸引して吸着固定する。この状態で粘着性テープ２４の剥離を開始する。
【００２３】
剥離に際し、粘着性テープ２４の端側に剥離用のテープを接着し、その他端部を剥離爪２１で保持し、粘着性テープ２４の上部に剥離を補助する補助プレート２２をセットし、この補助プレート２２で粘着性テープ２４の上面を抑えて粘着性テープ２４を曲げながら剥離爪２１で粘着性テープ２４の一端を図示矢印方向に０．１ｍｍ〜１００ｍｍ／ｓｅｃの速度、好ましくは０．１ｍｍ〜１０ｍｍ／ｓｅｃの速度で引く。この際、剥離爪２１を引く強度に強弱を付けても良いし、剥離爪２１と補助プレート２２を一定の速度で移動させて剥離しても良い。また、剥離爪２１で一定の距離引いた後、補助プレート２２で粘着性テープ２４の上面を抑える動作を繰り返しても良い。そして、ウェーハ吸着部２の隣接する吸着エリア２−１〜２−７近傍の粘着性テープ２４の一部が剥離されたときに、切換弁２６Ａ〜２６Ｇにより第２系統の真空配管２５Ｂに切り換え第２のバキュームポンプ２７Ｂを用いて剥離された吸着エリアの半導体チップ１を吸着して固定する。図６では、剥離が吸着エリア２−１と吸着エリア２−２の境界領域まで進み、切換弁２６Ａが切り換えられた状態を示している。
【００２４】
以下同様に、粘着性テープ２４の剥離にしたがって切換弁２６−２〜２６−７を順次切り換えて行く。そして、粘着性テープ２４が完全に剥離された状態では、各半導体チップ１は、粘着性テープ２４からウェーハ吸着部２に転写され、第２のバキュームポンプ２７Ｂにより第２系統の真空配管２５Ｂを介して各半導体チップ１が吸着されて固定される。なお、補助プレート２２は、先端にアールが付いているものや先端が鋭角なものを用いることができる。先端部の形状は、粘着性テープ２４の厚さや粘着力、柔軟性等によって決定する。次に、半導体チップ１の位置検出及び良品検出を行う。その後、ウェーハ吸着部２から個々の半導体チップ１のピックアップを開始する。ピックアップの開始直後は、各半導体チップ１は、第２のバキュームポンプ２７Ｂにより第２系統の真空配管２５Ｂで吸着されて固定されており、この状態で吸着コレット１０を用いて吸着力のみでピックアップする。
【００２５】
そして、ピックアップが進行して吸着エリアの境界近傍まで進んだ時点で、切換弁を切り換えて第１系統の真空配管２５Ａに切り換え、第１のバキュームポンプ２７Ａを用いてピックアップされた吸着エリアを吸引する。図７ではピックアップが吸着エリア２−１までほぼ終了し、吸着エリア２−１に対応する切換弁２６Ａが閉じた状態を示している。
これによって、半導体チップ１をピックアップしてウェーハ吸着部２の一部が露出されることによって、第２のバキュームポンプ２７Ｂの吸引力が低下するのを防止するとともに、露出されたウェーハ吸着部２に残存されている不良チップや製品にならないウェーハの周辺部のチップを吸着して固定できる。なお、ピックアップが進行して吸着エリア内の半導体チップをピックアップした時点で、図８に示すように切換弁を閉じて吸着を停止しても良い。図８ではピックアップが吸着エリア２−４まで進み、吸着エリア２−１〜２−３に対応する切換弁２６−１〜２６−３が閉じた状態を示している。
【００２６】
その後、図９に示すように、リードフレームにダイボンディングする。図９は、粘着性テープ２４の剥離工程（ａ）、ピックアップ工程（ｂ）、半導体チップ１をリードフレーム１３へ導電性ペースト１４等でマウントする工程（ｃ）をそれぞれ概略的に示している。そして、不良品及びウェーハ外周部の製品とならない半導体チップを破棄する。
以上のような構成並びに方法によれば、個片化された半導体ウェーハを粘着性テープの剥離位置や半導体チップのピックアップ状態に応じた最適な吸引力で効果的に吸着固定できるので、半導体チップの薄型化によって問題となる粘着性テープの剥離時やピックアップ時における半導体チップのクラックやチッピングを防止できる。また、吸着のみでピックアップを行うので、従来の突き上げピンによるピックアップで問題となっていた突き上げピン接触部での半導体チップへのダメージも防止できる。また、接着剤層が形成されているので半導体チップを積層するスタックＭＣＰ製品の作成が容易に可能になる。
【００２７】
従来の技術では、半導体チップの厚さが５０μｍ以下になると、半導体チップのピックアップ時にクラックが多発していたが（１００ｐｃｓ／１００ｐｃｓ）、この実施例によれば半導体チップの厚さが５０μｍ以下であってもクラックの発生を殆ど無視できる（０／１００ｐｃｓ）までに低減できた。
なお、この実施例では、ダイボンダを例にとって説明したが、粘着性テープを剥離した後、個々の半導体チップをピックアップしてトレイに詰めるピッカー、粘着性テープを剥離した後、個々の半導体チップ１をピックアップして実装基板上にフリップチップ接続で実装するフリップチップボンダ、粘着性テープを剥離した後、個々の半導体チップをピックアップして熱可塑性のフィルム基板上にマウントするフィルム接着ボンダ、粘着性テープを剥離した後、個々の半導体チップ１をピックアップして、加熱ツールを用いてＴＡＢテープにマウントするインナーリードボンダ等、粘着性テープの剥離機構や半導体チップのピックアップ装置が必要となる他の装置にも適用することができる。
【００２８】
次に、図１０及び図１１を参照して第２の実施例を説明する。
図１０は、半導体ウェーハに半導体素子を形成後半導体チップ形成後に半導体ウェーハに貼り付けてあった粘着性テープを剥離しその後半導体ウェーハの接着剤層をチップサイズに切断するまでの工程を説明する工程断面図である。裏面研削工程までは内容が実質的に同じであるので説明を省略する。
裏面研削終了後、半導体ウェーハ３０′の裏面に接着テープなどの接着剤層３９を形成する（図１０（ａ））。次に、保持テーブル３３に備えられたウェーハ吸着部に保持された個片化された半導体ウェーハ３０′から粘着性テープ３４を剥離する（図１０（ｂ））。次に、保持テーブル３３上で接着剤層３９をチップサイズにレーザやブレードなどの切断手段を用いて切断する（図１０（ｃ））。粘着性テープ３４を剥離された個片化された半導体ウェーハ３０′を構成する半導体チップ３０は、ピックアップ機構により、ピックアップされて半導体装置の所定の製造工程に搬送される。
【００２９】
次に、図１１を参照して、粘着性テープの剥離工程から半導体チップをピックアップする工程までを説明する。図１１に示す半導体ウェーハは、粘着性テープ３４が表面保護テープとして素子形成領域を有する素子形成面の全面に被覆され、裏面には接着シートや接着フィルムなどの接着剤層３９が形成されている。接着剤層３９は、半導体ウェーハ全面に形成されている。
【００３０】
まず、保持テーブル３３上において半導体ウェーハ表面から、吸引装置で直接的に吸着固定しながら、剥離爪３１と補助プレート３２を用いて粘着性テープ３４を剥離する。その際、半導体ウェーハは、２分割以上された多孔質材で２系統以上の真空配管に分かれているテーブルに真空固定し、粘着性テープ３４の剥離状態で各多孔質ブロックの配管系統を切り換えて粘着性テープを剥離する（図１１（ａ））。引き続き、接着剤層３９をチップサイズにレーザやブレードなどの切断手段３５を用いて切断する。その際、半導体ウェーハは、２分割以上された多孔質材で２系統以上の真空配管に分かれているテーブルに真空固定し、切断状況に合わせて各多孔質ブロックの配管系統を切り換えて接着剤層３９を切断する（図１１（ｂ））。その後、ウェーハ吸着部から個々の半導体チップ３０のピックアップを開始する。ピックアップの開始直後は、各半導体チップ３０は、吸着コレット３６を用いて吸着力のみでピックアップする（図１１（ｃ））。ピックアップされた各半導体チップ３０は、リードフレームなどにボンディングされる。切断手段であるレーザには、ＹＡＧレーザ、ＣＯ２  レーザ、単パルスレーザなどがある。
【００３１】
ここで用いられる粘着性テープは、通常の表面保護テープのように熱可塑性フィルム基材と粘着剤層の構成のものであっても良いが、熱収縮性フィルム基材と粘着剤層の構成のものであっても良い。熱収縮性フィルム基材と粘着剤層からなる粘着性テープは、熱収縮を行うことによって、自動的に半導体ウェーハから剥離するので、後述する剥離機構は簡略化できる可能性がある。また、前記粘着性テープの粘着剤は、ＵＶ硬化型粘着剤であっても良い。粘着性テープを剥離する工程において、粘着性テープを剥離する前にＵＶ照射を行うことにより剥離を容易にすることが出来る。前記切断溝を入れる工程において、切断溝をブレードダイシング、レーザ、エッチングもしくは劈開のいずれかの手段を用いることが可能である。
【００３２】
また、裏面研削を行った後に裏面をエッチングすることにより裏面チッピングの少ない半導体チップを得ることが出来る。前記接着剤層は、熱接着性の熱可塑性フィルムであっても良く、また、熱硬化性の接着剤層であっても良い。さらに、ＵＶ硬化性を有する熱硬化性の接着剤層であっても良い。熱硬化性の接着剤層は、常温領域で粘着性を帯びている場合があるため、吸着ステージにチップが固着してしまう可能性がある。熱硬化性の接着剤層がＵＶ硬化性を有していれば、半導体ウェーハの裏面に接着剤層を貼り付けた後、吸着ステージに吸着固定するまでに接着剤層をＵＶ硬化すれば、粘着性が低下するので、このような問題は起きにくくなる。また、接着剤層は、多孔質材上においてブレード、レーザもしくはエッチングのいずれかの切断手段を用いることが出来る。
【００３３】
以上のように、この実施例によれば、個片化された半導体ウェーハを粘着性テープの剥離位置や半導体チップのピックアップ状態に応じた最適な吸引力で効果的に吸着固定できるので半導体チップの薄型化によって問題となる粘着性テープの剥離時やピックアップ時における半導体チップのクラックやチッピングを防止できる。また、吸着のみでピックアップを行うので、従来の突き上げピンによるピックアップで問題となっていた突き上げピン接触部での半導体チップへのダメージも防止できる。また、接着剤層が形成されているので半導体チップを積層するスタックＭＣＰ製品の作成が容易にできる。
以上、本発明の実施例を説明したが、本発明は、これらの実施例に限定されるものではなく、その要旨を逸脱しない範囲で種々に変形することが可能である。また、これら実施例には種々の段階の発明が含まれており、開示される複数の構成要件の適宜な組み合わせにより種々の発明が抽出され得る。
【００３４】
【発明の効果】
本発明は、以上の構成により、半導体チップの薄型化で問題となっているピックアップによるチップクラックが防止でき、また、従来の突き上げピンによるピックアップで問題となっていた突き上げピン接触部での半導体チップのダメージを防止できる。また、半導体チップを積層するスタックＭＣＰ製品を作成することが可能になる。
【図面の簡単な説明】
【図１】本発明の第１の実施例に係る半導体素子が形成された個片化された半導体ウェーハに貼り付けた粘着性テープを剥離するまでの工程を説明する工程断面図。
【図２】本発明の第１の実施例に係る半導体素子が形成された個片化された半導体ウェーハに貼り付けた粘着性テープを剥離するまでの工程を説明する工程断面図。
【図３】本発明の第１の実施例に係るダイボンダの概略構成を示す斜視図。
【図４】本発明の第１の実施例に係る剥離機構及びピックアップ機構で用いられるウェーハ吸着部の平面図及び断面図。
【図５】本発明の第１の実施例に係るウェーハ吸着部と個片化された半導体ウェーハの配置を説明するウェーハ吸着部の平面図、個片化された半導体ウェーハの配置例を示す平面図及び個片化された半導体ウェーハの他の配置例を示す平面図。
【図６】本発明の第１の実施例のダイボンダにおける粘着性テープの剥離機構を説明する断面図。
【図７】本発明の第１の実施例に係るダイボンダにおける半導体チップのピックアップ機構を説明する断面図。
【図８】本発明の第１の実施例に係るダイボンダにおける半導体チップのピックアップ機構の他の構成例を説明する断面図。
【図９】本発明の第１の実施例に係るピックアップした半導体チップの実装工程を説明する概略斜視図。
【図１０】本発明の第２の実施例に係る半導体素子が形成された個片化された半導体ウェーハに貼り付けた粘着性テープを剥離するまでの工程を説明する工程断面図。
【図１１】本発明の第２の実施例に係る粘着性テープの剥離工程から半導体チップをピックアップする工程までを説明する剥離機構及びピックアップ機構の断面図。
【図１２】従来のピックアップ装置における半導体チップを粘着性テープからピックアップする主要構成部の拡大断面図。
【図１３】従来の半導体チップの厚さが１００μｍ以下の場合のクラック及び半導体チップの厚さが１００μｍ以上の場合のクラックについて説明する半導体チップの断面図及び平面図。
【図１４】従来の半導体素子が形成された半導体ウェーハの個片化及びこれに貼り付けた粘着性テープを剥離する工程を説明する工程断面図。
【図１５】従来の半導体素子が形成された半導体ウェーハの個片化及びこれに貼り付けた粘着性テープを剥離する工程を説明する工程断面図。
【符号の説明】
１、３０・・・半導体チップ
１′、３０′・・・半導体ウェーハ
２・・・ウェーハ吸着部
２−１〜２−７・・・吸着エリア
３、３３・・・保持テーブル
４・・・ＴＶカメラ
５・・・リードフレーム供給部
６・・・リードフレーム搬送装置
７・・・ペースト供給装置
８・・・ボンディングツール
９・・・リードフレーム収納部
１０、３６・・・吸着コレット
１１・・・位置修正ステージ
１２・・・ボンディングヘッド
１３・・・リードフレーム
１４・・・導電性ペースト
２０・・・吸引装置
２１、３１・・・剥離爪
２２、３２・・・補助プレート
２３−１〜２３−７・・・接続孔
２４、３４・・・粘着性テープ
２５Ａ、２５Ｂ・・・真空配管
２６Ａ〜２６Ｇ・・・切換弁
２７Ａ、２７Ｂ・・・バキュームポンプ
２９、３９・・・接着剤層
４０・・・キャピラリ
４１・・・バンプ
４２・・・溝
４３・・・砥石
【図１】
2004311576.tif 000003
【図２】
2004311576.tif 000004
【図３】
2004311576.tif 000005
【図４】
2004311576.tif 000006
【図５】
2004311576.tif 000007
【図６】
2004311576.tif 000008
【図７】
2004311576.tif 000009
【図８】
2004311576.tif 000010
【図９】
2004311576.tif 000011
【図１０】
2004311576.tif 000012
【図１１】
2004311576.tif 000013
【図１２】
2004311576.tif 000014
【図１３】
2004311576.tif 000015
【図１４】
2004311576.tif 000016
【図１５】
2004311576.tif 000017